(57)【要約】【課題】  同乗を希望する便乗利用者が安心して利用することのできる移動手段提供方法を提供すること。【解決手段】  移動手段を提供する使用者の身分確認に際し、使用者が提示した身分証明書類の信憑性を第三者が確認した上で、この第三者が使用者の身分証明書類のイメージデータをファクシミリ装置５および通信回線６を介してサービス提供サーバ２に送信し、サービス提供サーバ２は、身分証明書類のイメージデータを受信した使用者に対してのみ識別情報を発行する。更に、使用者がサービス提供サーバ２に移動手段使用プランを登録する際に識別情報の認証を必須とすることで、身分に問題のある使用者によって移動手段使用プランが登録される可能性を軽減させる。【選択図】図１
2006011813.tif 000002
【特許請求の範囲】
【請求項１】
移動手段の使用者と移動手段を必要とする便乗利用者の身分確認を行って前記各使用者および前記各便乗利用者毎に識別情報を発行し、これらの識別情報と前記各使用者に連絡を取るために必要とされる連絡先情報とをサービス提供サーバに登録した後、
前記使用者が、当該使用者のユーザ端末およびネットワークを介して前記サービス提供サーバにアクセスして当該使用者の識別情報の認証を受けてから、前記移動手段の使用日時と移動工程とを含む移動手段使用プランを前記サービス提供サーバに登録し、
移動手段を必要とする便乗利用者が、当該便乗利用者のユーザ端末および前記ネットワークを介して前記サービス提供サーバにアクセスし、当該便乗利用者の識別情報の認証を受けて、移動手段の利用日時と移動工程とを含む移動手段便乗プランを前記サービス提供サーバに提示し、
前記サービス提供サーバが、提示された前記移動手段便乗プランに基いて、該サービス提供サーバに登録されている移動手段使用プランを参照し、前記移動手段便乗プランに重複する使用日時と移動工程とを有する移動手段使用プランを検索し、この移動手段使用プランを登録した使用者に対応する前記連絡先情報を前記ネットワークを介して前記便乗利用者のユーザ端末に送信するようにした移動手段提供方法であって、
前記使用者および前記便乗利用者を除く第三者の管理下にファクシミリ装置を設置し、少なくとも、前記使用者の身分確認に際し、前記使用者が提示した身分証明書類の信憑性を前記第三者が確認した上で、前記使用者の身分証明書類のイメージデータを前記ファクシミリ装置および通信回線を介して前記サービス提供サーバに送信し、該サービス提供サーバが当該使用者の識別情報を発行し、この識別情報に対応させて当該使用者の身分証明書類のイメージデータを保存することを特徴とした移動手段提供方法。
【請求項２】
前記便乗利用者の身分確認に際し、前記便乗利用者が提示した身分証明書類の信憑性を前記第三者が確認した上で、前記便乗利用者の身分証明書類のイメージデータを前記ファクシミリ装置および通信回線を介して前記サービス提供サーバに送信し、該サービス提供サーバが当該便乗利用者の識別情報を発行し、この識別情報に対応させて当該便乗利用者の身分証明書類のイメージデータを保存することを特徴とした請求項１記載の移動手段提供方法。
【請求項３】
前記使用者および便乗利用者の身分確認の前処理として、前記使用者および便乗利用者が各々のユーザ端末およびネットワークを介して前記サービス提供サーバにアクセスし、当該使用者あるいは便乗利用者の住所・氏名を含む個人情報を提示し、前記サービス提供サーバの管理者が前記個人情報を参照して前記使用者もしくは便乗利用者に会員登録用書類を郵送し、
前記使用者および便乗利用者の身分確認に際し、前記使用者あるいは便乗利用者が提示した会員登録用書類と身分証明書類の信憑性を前記第三者が確認した上で、前記使用者あるいは便乗利用者の会員登録用書類と身分証明書類のイメージデータを前記ファクシミリ装置および通信回線を介して前記サービス提供サーバに送信し、該サービス提供サーバが当該使用者あるいは便乗利用者の識別情報を発行し、この識別情報に対応させて当該使用者あるいは便乗利用者の会員登録用書類のイメージデータを保存することを特徴とした請求項２記載の移動手段提供方法。
【請求項４】
前記ファクシミリ装置を特定するための発信者番号を予め前記サービス提供サーバに登録しておき、前記サービス提供サーバが前記身分証明書類のイメージデータを受信した時点で、その発信者番号が既に当該サービス提供サーバに登録されているか否かをサービス提供サーバが判定し、登録されている場合に限って前記識別情報の発行および前記イメージデータの保存を行うことを特徴とした請求項１，請求項２または請求項３記載の移動手段提供方法。
【請求項５】
前記サービス提供サーバが、便乗利用者から提示された前記移動手段便乗プランに基いて、該サービス提供サーバに登録されている移動手段使用プランを参照し、前記移動手段便乗プランに重複する使用日時と移動工程とを有する移動手段使用プランを検索し、この移動手段使用プランを登録した使用者を特定した段階で、当該使用者のユーザ端末に情報提供依頼を送信し、該ユーザ端末から情報提供を許容する応答が得られた場合に限り、当該使用者に対応する連絡先情報を前記ネットワークを介して前記便乗利用者のユーザ端末に送信することを特徴とした請求項１，請求項２，請求項３または請求項４記載の移動手段提供方法。
【請求項６】
前記便乗利用者のユーザ端末に送信された連絡先情報に基いて当該便乗利用者と前記使用者との間で交渉を行って前記移動手段使用プランを修正し、この修正結果を前記使用者のユーザ端末およびネットワークを介して前記サービス提供サーバに更新して登録することを特徴とした請求項１，請求項２，請求項３，請求項４または請求項５記載の移動手段提供方法。
【請求項７】
前記使用者の身分確認に際し、前記使用者が提示した身分証明書類の信憑性に加え、当該使用者が持参した移動手段の信憑性を前記第三者が確認した上で、前記使用者の身分証明書類のイメージデータを前記ファクシミリ装置および通信回線を介して前記サービス提供サーバに送信することを特徴とした請求項１，請求項２，請求項３，請求項４，請求項５または請求項６記載の移動手段提供方法。
【発明の詳細な説明】
【技術分野】
【０００１】
本発明は、インターネット等のネットワークを利用して相乗りを希望する便乗利用者に移動手段を提供する移動手段提供方法に関する。
【背景技術】
【０００２】
行楽地等に向かう車両や帰る車両によって生じる交通渋滞は過去に劣らず残っているが、実際に車両の搭乗状態をみると、１台あたりの搭乗者数が少ない車両が多々見受けられる。
【０００３】
また、行楽地等に行きたいものの、一緒に行く人がつかまらず、止むを得ず１人で行く人や、行楽地等に行くこと自体を断念する人が多いことも事実である。
【０００４】
仮に４名を乗車定員とする車両に２名で乗車していると仮定した場合、この車両に規定の人員を搭乗させれば交通量は１／２に削減され、交通渋滞の解消やＣＯ２の削減あるいは１人あたりの交通費用の削減等の効果が期待できることになる。国内外の一部の都市や区域では、例えば、シンガポールのように、環境や渋滞の影響を考慮し、車両台数の入場制限を行っているところも存在する。
【０００５】
同乗者を求めるための手段としては、例えば、特許文献１に開示されるような車両の乗合サービス提供方法が提案されているが、このものは単にコンピュータ処理を利用して目的地点や性格等の適正を判断して同乗の可否を判断するものに過ぎず、システムの利用者、特に、同情サービスを提供する側の人間の信頼性を担保するものではない。
【０００６】
具体的には、サービス提供者の個人情報は、ネットワークを経由して自己申告制でサーバに登録されるものであり、その内容の真偽を判断することはできず、場合によっては、同乗する側の利用者が犯罪に巻き込まれるといった可能性がなくもない。
【０００７】
【特許文献１】特開２００２−１４０４０２号公報（段落番号００５１，００５２）
【発明の開示】
【発明が解決しようとする課題】
【０００８】
そこで、本発明の課題は、前記従来技術の不都合を改善し、同乗を希望する便乗利用者が安心して利用することのできる移動手段提供方法を提供することにある。
【課題を解決するための手段】
【０００９】
本発明は、移動手段の使用者と移動手段を必要とする便乗利用者の身分確認を行って前記各使用者および前記各便乗利用者毎に識別情報を発行し、これらの識別情報と前記各使用者に連絡を取るために必要とされる連絡先情報とをサービス提供サーバに登録した後、
前記使用者が、当該使用者のユーザ端末およびネットワークを介して前記サービス提供サーバにアクセスして当該使用者の識別情報の認証を受けてから、前記移動手段の使用日時と移動工程とを含む移動手段使用プランを前記サービス提供サーバに登録し、
移動手段を必要とする便乗利用者が、当該便乗利用者のユーザ端末および前記ネットワークを介して前記サービス提供サーバにアクセスし、当該便乗利用者の識別情報の認証を受けて、移動手段の利用日時と移動工程とを含む移動手段便乗プランを前記サービス提供サーバに提示し、
前記サービス提供サーバが、提示された前記移動手段便乗プランに基いて、該サービス提供サーバに登録されている移動手段使用プランを参照し、前記移動手段便乗プランに重複する使用日時と移動工程とを有する移動手段使用プランを検索し、この移動手段使用プランを登録した使用者に対応する前記連絡先情報を前記ネットワークを介して前記便乗利用者のユーザ端末に送信するようにした移動手段提供方法であり、前記課題を達成するため、特に、
前記使用者および前記便乗利用者を除く第三者の管理下にファクシミリ装置を設置し、少なくとも、前記使用者の身分確認に際し、前記使用者が提示した身分証明書類の信憑性を前記第三者が確認した上で、前記使用者の身分証明書類のイメージデータを前記ファクシミリ装置および通信回線を介して前記サービス提供サーバに送信し、該サービス提供サーバが当該使用者の識別情報を発行し、この識別情報に対応させて当該使用者の身分証明書類のイメージデータを保存することを特徴とした構成を有する。
【００１０】
移動手段を提供する使用者の身分確認に際し、使用者が提示した身分証明書類の信憑性を第三者が確認した上で、この第三者が使用者の身分証明書類のイメージデータをファクシミリ装置および通信回線を介してサービス提供サーバに送信し、サービス提供サーバは、身分証明書類のイメージデータを受信した使用者に対してのみ識別情報を発行するようにしており、しかも、使用者がサービス提供サーバに移動手段使用プランを登録する際には識別情報の認証が必須となるので、身分に問題のある使用者によって移動手段使用プランが登録される可能性を大幅に軽減することができ、同乗を希望する便乗利用者は、安心して使用者の移動手段を利用することができる。
また、使用者の身分証明書類のイメージデータが使用者の識別情報に対応してサービス提供サーバに保存されるので、使用者に対する犯罪抑止効果が期待される。
【００１１】
更に、便乗利用者の身分確認に際し、便乗利用者が提示した身分証明書類の信憑性を前記第三者が確認した上で、便乗利用者の身分証明書類のイメージデータを前記ファクシミリ装置および通信回線を介して前記サービス提供サーバに送信し、該サービス提供サーバが当該便乗利用者の識別情報を発行し、この識別情報に対応させて当該便乗利用者の身分証明書類のイメージデータを保存するようにしてもよい。
【００１２】
このような構成を適用した場合、身分に問題のある便乗利用者によって使用者の移動手段が利用される可能性が大幅に軽減されるので、移動手段を提供する使用者も安心して便乗利用者を募ることができる。
同時に、便乗利用者の身分証明書類のイメージデータが便乗利用者の識別情報に対応してサービス提供サーバに保存されるので、便乗利用者に対する犯罪抑止効果も期待される。
【００１３】
また、前記使用者および便乗利用者の身分確認の前処理として、前記使用者および便乗利用者が各々のユーザ端末およびネットワークを介して前記サービス提供サーバにアクセスし、当該使用者あるいは便乗利用者の住所・氏名を含む個人情報を提示し、前記サービス提供サーバの管理者が前記個人情報を参照して前記使用者もしくは便乗利用者に会員登録用書類を郵送し、
前記使用者および便乗利用者の身分確認に際し、前記使用者あるいは便乗利用者が提示した会員登録用書類と身分証明書類の信憑性を前記第三者が確認した上で、前記使用者あるいは便乗利用者の会員登録用書類と身分証明書類のイメージデータを前記ファクシミリ装置および通信回線を介して前記サービス提供サーバに送信し、該サービス提供サーバが当該使用者あるいは便乗利用者の識別情報を発行し、この識別情報に対応させて当該使用者あるいは便乗利用者の会員登録用書類のイメージデータを保存するようにしてもよい。
【００１４】
このような構成を適用した場合、使用者および便乗利用者が前処理の過程で提示した住所・氏名に基いて会員登録用書類が郵送されることになるので、使用者および便乗利用者の個人情報のうち、少なくとも、住所・氏名に関する情報の信頼性が向上する。
【００１５】
更に、前記ファクシミリ装置を特定するための発信者番号を予め前記サービス提供サーバに登録しておき、前記サービス提供サーバが前記身分証明書類のイメージデータを受信した時点で、その発信者番号が既に当該サービス提供サーバに登録されているか否かを判定し、登録されている場合に限って前記識別情報の発行および前記イメージデータの保存を行うようにすることができる。
【００１６】
このような構成を適用した場合、身分証明書類のイメージデータを送信したファクシミリ装置の信憑性が判断されるので、身分証明書類の信憑性を確認する第三者の成りすましを防止することができ、結果的に、使用者および便乗利用者の信頼性も向上する。
【００１７】
また、前記サービス提供サーバが、便乗利用者から提示された前記移動手段便乗プランに基いて、該サービス提供サーバに登録されている移動手段使用プランを参照し、前記移動手段便乗プランに重複する使用日時と移動工程とを有する移動手段使用プランを検索し、この移動手段使用プランを登録した使用者を特定した段階で、当該使用者のユーザ端末に情報提供依頼を送信し、該ユーザ端末から情報提供を許容する応答が得られた場合に限り、当該使用者に対応する連絡先情報を前記ネットワークを介して前記便乗利用者のユーザ端末に送信するようにしてもよい。
【００１８】
このような構成を適用した場合、移動手段を提供する使用者は、比較的に容易に同乗の依頼をキャンセルすることができるようになる。
これにより、移動手段の使用者が便乗利用者を必要以上に選り好みするといった弊害が生じる可能性もあるが、その一方で、移動手段を提供する使用者が移動手段使用プランを頻繁にサービス提供サーバに登録する動機ともなるので、全体としてみれば、移動手段の有効利用に結びつくものと考えられる。
【００１９】
更に、前記便乗利用者のユーザ端末に送信された連絡先情報に基いて当該便乗利用者と前記使用者との間で交渉を行って前記移動手段使用プランを修正し、この修正結果を前記使用者のユーザ端末およびネットワークを介して前記サービス提供サーバに更新して登録することが望ましい。
【００２０】
修正された移動手段使用プランをサービス提供サーバに更新して登録することにより、当初の利用日時や移動工程が折り合わなかった別の便乗利用者が、この移動手段使用プランを利用して同乗できる可能性が生じ、移動手段の有効利用に繋がる。
【００２１】
また、前記使用者の身分確認に際し、前記使用者が提示した身分証明書類の信憑性に加え、当該使用者が持参した移動手段の信憑性を前記第三者が確認した上で、前記使用者の身分証明書類のイメージデータを前記ファクシミリ装置および通信回線を介して前記サービス提供サーバに送信するようにしてもよい。
【００２２】
第三者によって移動手段の整備状況等を確認することができるので、劣悪な状況にある移動手段を有する使用者に対する識別情報の発行を防止することができ、移動手段を必要とする便乗利用者の安全性を向上させることが可能となる。
【発明の効果】
【００２３】
本発明の移動手段提供方法は、移動手段を提供する使用者の身分確認に際し、使用者が提示した身分証明書類の信憑性を第三者が確認した上で、この第三者が使用者の身分証明書類のイメージデータをファクシミリ装置および通信回線を介してサービス提供サーバに送信し、サービス提供サーバは、身分証明書類のイメージデータを受信した使用者に対してのみ識別情報を発行するようにしており、しかも、使用者がサービス提供サーバに移動手段使用プランを登録する際には識別情報の認証が必須となるので、身分に問題のある使用者によって移動手段使用プランが登録される可能性を大幅に軽減することができ、同乗を希望する便乗利用者は、安心して使用者の移動手段を利用することができる。
また、使用者の身分証明書類のイメージデータが使用者の識別情報に対応してサービス提供サーバに保存されるので、使用者に対する犯罪抑止効果が期待される。
【発明を実施するための最良の形態】
【００２４】
次に、この発明を実施するための最良の形態の一例について図面を参照して具体的に説明する。
【００２５】
図１は本発明の移動手段提供方法を実施するために必要とされる移動手段提供システムの一例について示した機能ブロック図である。
【００２６】
この実施形態の移動手段提供システム１は、概略において、サービス提供サーバ２と、車両等の移動手段を提供する使用者（以下、単に使用者という）あるいは移動手段を必要とする便乗利用者（以下、単に便乗利用者という）によって使用されるユーザ端末３と、これらを接続するインターネット等のネットワーク４と、前記使用者および前記便乗利用者を除く第三者、例えば、ガソリンスタンド，車両販売店，車両整備工場等の加盟店の管理下に設置されたファクシミリ装置５と、このファクシミリ装置５とサービス提供サーバ２とを接続する公衆電話回線またはＩＳＤＮ等の通信回線６とによって構成される。
【００２７】
サービス提供サーバ２は、ネットワーク４に接続してユーザ端末３との間で情報の遣り取りを行うＷｅｂサーバ２ａと、移動手段の使用者および便乗利用者の個人情報等を管理する会員管理サーバ２ｂとによって構成され、サービス提供サーバ２の一部であるＷｅｂサーバ２ａがネットワーク４に接続される一方、サービス提供サーバ２の一部である会員管理サーバ２ｂは通信回線６に接続されている。
【００２８】
会員管理サーバ２ｂには、使用者および便乗利用者の各々（以下、纏めてユーザという）に対して発行された識別情報に対応させて、連絡先情報としての住所・氏名あるいは電子メールアドレスや電話番号等を始めとする個人情報、ならびに、身分証明書類のイメージデータや会員登録用書類のイメージデータ、更には、ファクシミリ装置５を特定するための発信者番号等が登録され、また、Ｗｅｂサーバ２ａには、使用者が設定した移動手段使用プラン等が登録されるようになっている。移動手段使用プランには、少なくとも、移動手段の使用日時と移動工程、例えば、出発地点と目的地点および其の間の主な経由地点等が含まれる。
【００２９】
この実施形態では、ユーザの個人情報の保護の観点からサービス提供サーバ２をＷｅｂサーバ２ａと会員管理サーバ２ｂとに分割して構成しているが、技術的には、Ｗｅｂサーバ２ａと会員管理サーバ２ｂを１つのサーバで構成することも可能である。
【００３０】
ユーザ端末３は、パーソナルコンピュータ３ａもしくは携帯電話３ｂ等によって構成され、ＨＴＭＬ文書等を閲覧するためのブラウザ機能を備える。図１では１つのパーソナルコンピュータ３ａと携帯電話３ｂを示しているが、実際には、使用者および便乗利用者の各々がユーザ端末３を有し、ネットワーク４上に複数のユーザ端末３が接続されている。
【００３１】
ユーザ端末３とＷｅｂサーバ２ａとの間の通信は、ＳＳＬ（Secure
Sockets Layer：機密保持のための情報暗号化プロトコル）の機能を用いて暗号化されている。
【００３２】
ファクシミリ装置５は、ガソリンスタンド，車両販売店，車両整備工場等の加盟店（以下、総じて第三者という）の各々に設置され、その各々が、通信回線６を介してサービス提供サーバ２の一部である会員管理サーバ２ｂに接続されている。
【００３３】
Ｗｅｂサーバ２ａ，会員管理サーバ２ｂ，パーソナルコンピュータ３ａ，携帯電話３ｂ，ファクシミリ装置５の機能については周知であり、また、本実施形態においては、これらの構成要素を情報入力手段，通信手段，記憶手段，情報検索手段，情報提示手段等の範囲で使用しているに過ぎないので、構成に関する詳細な説明は省略する。
【００３４】
図２は、ユーザに対して識別情報を発行する際の身分確認のための前処理の概略について示したフローチャートである。
【００３５】
使用者あるいは便乗利用者としての登録を希望するユーザは、まず、ユーザ端末３およびネットワーク４を介してＷｅｂサーバ２ａにアクセスし、Ｗｅｂサーバ２ａに会員登録用の入力フォームの送信を要求する（ステップＡ１）。
【００３６】
これに応答して、Ｗｅｂサーバ２ａは会員登録に必要な項目を入力するための入力フォームをユーザ端末３へ送信する（ステップＡ２）。
【００３７】
ユーザ端末３は、Ｗｅｂサーバ２ａから送信された入力フォームをモニタに表示した後（ステップＡ３）、会員登録に必要となる個人情報がユーザによって入力されるのを待機し、ユーザによって個人情報が入力されると（ステップＡ４）、この情報を仮の会員登録情報としてＷｅｂサーバ２ａへ送信する（ステップＡ５）。仮の会員登録情報には、少なくとも、ユーザの住所・氏名が含まれている。
【００３８】
Ｗｅｂサーバ２ａは、仮の会員登録情報を受信し（ステップＡ６）、その情報を会員管理サーバ２ｂへ送信する（ステップＡ７）。
【００３９】
会員管理サーバ２ｂは、仮の会員登録情報を受信し（ステップＡ８）、この時点で会員管理サーバ２ｂに登録されている正規の会員登録情報および仮の会員登録情報を参照して重複登録の有無を確認すると共に、受信した会員登録情報の内容の不備を確認し、重複および不備がなければ、今回の処理で受信した仮の会員登録情報を登録する（ステップＡ９）。
【００４０】
会員登録情報の内容に記載漏れ等の不備があった場合、あるいは、既に登録されている内容と重複する場合には、今回の処理で受信した仮の会員登録情報は登録せずに、Ｗｅｂサーバ２ａを経由して対応するユーザ端末３にエラーメッセージを送信する。
【００４１】
一方、今回の処理で受信した仮の会員登録情報に不備や重複がなかった場合には、会員管理サーバ２ｂがこの情報を登録し、この会員登録情報に対応させて仮のユーザＩＤと仮のパスワードを新たに生成し、仮登録の正常終了のメッセージと仮のユーザＩＤおよび仮のパスワードをＷｅｂサーバ２ａに送信する（ステップＡ１０）。
【００４２】
Ｗｅｂサーバ２ａは、会員管理サーバ２ｂからの仮登録の結果情報を受信し（ステップＡ１１）、対応するユーザ端末３へその情報を送信する（ステップＡ１２）。
【００４３】
ユーザ端末３は、Ｗｅｂサーバ２ａから送信された結果情報、つまり、仮のユーザＩＤと仮のパスワードおよび仮登録の正常終了のメッセージ等を受信し（ステップＡ１３）、その情報をモニタに表示する（ステップＡ１４）。
【００４４】
そして、仮の会員登録が正常に行われた場合には、会員管理サーバ２ｂによって本登録のための会員登録用書類が作成され、仮の会員登録情報に含まれる個人情報のうちの住所・氏名が宛名書きとして印字され（ステップＡ１５）、ここで印刷された会員登録用書類が対応するユーザの下に郵送される。
【００４５】
つまり、使用者あるいは便乗利用者としての登録を希望するユーザが、ユーザ端末３，ネットワーク４，ウェブサーバ２ａを介してサービス提供サーバ２の一部である会員管理サーバ２ｂに提示した個人情報の住所・氏名に基いて、サービス提供サーバ２の管理者が登録を希望するユーザに対して会員登録用書類を郵送することになる。
【００４６】
このように、使用者あるいは便乗利用者としての登録を希望するユーザが提示した住所・氏名に基いて会員登録用書類が郵送されることになるので、ユーザが住所を詐称して会員登録用書類を受け取るといった行為が未然に防止され、使用者および便乗利用者の個人情報のうち、少なくとも、住所・氏名に関する情報の信頼性が向上する効果がある。
【００４７】
なお、仮のユーザＩＤと仮のパスワードは、ユーザが、ネットワーク経由で個人情報を提示してから会員登録用書類を受け取るまでの処理の進捗状況等をサービス提供サーバ２の管理者に問い合わせる際に利用されるものに過ぎず、これによって正規登録会員と同等のサービス、つまり、移動手段使用プランの登録（ユーザが使用者の場合）や検索（ユーザが便乗利用者の場合）のサービスが受けられるわけではない。
【００４８】
図３は、移動手段を提供する使用者としての登録を希望するユーザに対して識別情報を発行する際の身分確認のための処理の概略について示したフローチャートである。
【００４９】
使用者としての登録を希望するユーザは、前述のようにして郵送された本登録のための会員登録用書類のうち使用者用の会員登録用書類に必要事項を記入し、この会員登録用書類と免許証，車検証等の身分証明書類、および、使用する車両の現物を携えて、ガソリンスタンド，車両販売店，車両整備工場等の第三者の下に出向く。
【００５０】
第三者の側では、会員登録用書類に記載されている内容に誤りや詐称が無いか、ユーザが提示した車両に安全上の問題がないか等の信憑性を確認し、問題がなければ、これらの免許証，車検証等の身分証明書類と会員登録用書類をファクシミリ装置５に読み込ませ、身分証明書類のイメージデータおよび会員登録用書類のイメージデータを通信回線６を介して会員管理サーバ２ｂにファクシミリ送信する（ステップＢ１）。
【００５１】
もし、書類記載上の誤りや不備もしくは詐称あるいは車両の異常等が認められた場合には、第三者は、会員管理サーバ２ｂへのファクシミリ送信は行わないものとする。更に、自賠責保険や任意保険の加入の有無、特に、同乗者に対する損害賠償保険の有無や補償枠等も確認した上でファクシミリ送信を行うか否かを判断することが望ましいが、これらの問題に関しては、便乗利用者側の判断および自己責任の問題でもあるから、この時点では、使用者としての登録を希望するユーザの身分が確認されれば十分である。
【００５２】
このようにしてファクシミリ送信が行われた場合、会員管理サーバ２ｂは、ファクシミリ装置５からのファクシミリ情報を受信し（ステップＢ２）、このファクシミリ情報の送信元の発信者番号が会員管理サーバ２ｂに登録されているか否かを判定し、登録されている場合に限り、身分証明書類のイメージデータおよび会員登録用書類のイメージデータを保存し（ステップＢ３）、使用者の識別情報となる正規のユーザＩＤおよび正規のパスワードを発行し、更に、正規のユーザＩＤおよび正規のパスワードに身分証明書類のイメージデータおよび会員登録用書類のイメージデータを関連付けして登録した後（ステップＢ４）、Ｗｅｂサーバ２ａに正規のユーザＩＤおよび正規のパスワードを含む登録結果を送信する（ステップＢ５）。
【００５３】
ステップＢ３およびステップＢ４の処理については、具体的には、例えば、受信したファクシミリ情報における会員登録用書類のイメージデータから当該ユーザの仮のユーザＩＤを抽出し、この時点で既に登録されている当該ユーザの仮の会員登録情報を完全に削除し、会員登録用書類のイメージデータから当該ユーザの個人情報を抽出して正規の登録処理を改めて行い、当該会員登録情報に正規のユーザＩＤおよび正規のパスワードを対応させて登録し、更に、これに対応させて身分証明書類のイメージデータおよび会員登録用書類のイメージデータの格納領域を記憶させてもよいし、あるいは、この時点で既に登録されている当該ユーザの仮の会員登録情報を生かし、当該ユーザの仮のユーザＩＤと仮のパスワードを正規のユーザＩＤと正規のパスワードに書き換えて仮の会員登録情報を正規の会員登録情報に更新し、これに対応させて身分証明書類のイメージデータおよび会員登録用書類のイメージデータの格納領域を記憶するようにしてもよい。
【００５４】
使用者として登録されたユーザの正規の会員登録情報には、少なくとも、ユーザの連絡先情報としての住所・氏名あるいは電子メールアドレスや電話番号等が含まれる。
【００５５】
Ｗｅｂサーバ２ａは、会員管理サーバ２ｂから送信された正規登録の結果を受信し、対応するユーザ端末３あてに送信する（ステップＢ６）。
【００５６】
ユーザ端末３は、正規登録の結果を受信し（ステップＢ７）、正規のユーザＩＤと正規のパスワードを含む登録結果をモニタに表示する（ステップＢ８）。
【００５７】
このユーザＩＤとパスワードが車両を提供する使用者として登録されたユーザの識別情報であり、この識別情報つまりユーザＩＤとパスワードとを利用して、ユーザ端末３およびネットワーク４を介してサービス提供サーバ２にアクセスして識別情報の認証を受けることで、初めて、移動手段使用プランをサービス提供サーバ２のＷｅｂサーバ２ａに登録できるようになる。
【００５８】
このように、サービス提供サーバ２の会員管理サーバ２ｂは、身分証明書類および会員登録用書類のイメージデータを受信した使用者に対してのみ識別情報つまり正規のユーザＩＤと正規のパスワードを発行するようにしているので、身分に問題のある使用者によって移動手段使用プランが登録される可能性を大幅に軽減することができ、同乗を希望する便乗利用者は、安心して使用者の移動手段を利用することができるようになる。また、使用者の身分証明書類のイメージデータが使用者の識別情報に対応して会員管理サーバ２ｂに保存されるので、使用者に対する犯罪抑止効果が期待される。
【００５９】
更に、第三者による身分確認に際しては使用者が持参した車両の状態も確認されるので、劣悪な状況にある車両を有する使用者に対する識別情報の発行を未然に防止することができ、車両を必要とする便乗利用者の安全性を向上させることが可能となる。
【００６０】
しかも、ファクシミリ情報の送信元の発信者番号が会員管理サーバ２ｂに登録されている場合に限って会員管理サーバ２ｂが正規のユーザＩＤおよび正規のパスワードを発行するようにしているので、身分証明書類等の信憑性を確認する第三者の成りすましを防止することができる。
【００６１】
図４は、移動手段を利用する便乗利用者としての登録を希望するユーザに対して識別情報を発行する際の身分確認のための処理の概略について示したフローチャートである。
【００６２】
便乗利用者としての登録を希望するユーザは、前述のようにして郵送された会員登録用書類のうち便乗利用者用の会員登録用書類に必要事項を記入し、この会員登録用書類と免許証，保険証等の身分証明書類を携えて、ガソリンスタンド，車両販売店，車両整備工場等の第三者の下に出向く。
【００６３】
実質的な処理の内容は図３で説明した使用者の身分確認の場合と同様であり、ステップＣ１〜ステップＣ８の処理は前述したステップＢ１〜ステップＢ８の処理に相当する。
【００６４】
但し、便乗利用者としての登録のみを希望するユーザは、仮に、本人が車両を所有していたとしても車検証や車両の確認を受ける必要はない。つまり、本人の身分さえ確認されれば十分である。
【００６５】
この場合、ユーザに発行される識別情報つまり正規のユーザＩＤと正規のパスワードは、Ｗｅｂサーバ２ａに登録されている移動手段使用プランの検索のみ利用でき、移動手段使用プランの登録には利用できない。
【００６６】
サービス提供サーバ２の会員管理サーバ２ｂは、身分証明書類および会員登録用書類のイメージデータを受信した便乗利用者に対してのみ識別情報つまり正規のユーザＩＤと正規のパスワードを発行するようにしているので、身分に問題のある便乗利用者によって使用者の移動手段が利用される可能性を大幅に軽減することができ、移動手段を提供する使用者も安心して便乗利用者を募ることができるようになる。また、便乗利用者の身分証明書類のイメージデータが便乗利用者の識別情報に対応して会員管理サーバ２ｂに保存されるので、便乗利用者に対する犯罪抑止効果が期待される。
【００６７】
なお、移動手段を提供する使用者として登録されたユーザの信頼性は移動手段を利用する便乗利用者として登録されたユーザの信頼性と同等もしくは其れ以上であるから、移動手段を提供する使用者として登録されたユーザに対しては、Ｗｅｂサーバ２ａに登録されている移動手段使用プランの検索サービスの利用を許容しても構わない。つまり、移動手段を提供する使用者として登録されたユーザは、必要に応じて、移動手段を利用する便乗利用者となることが可能である。
【００６８】
図５は、移動手段を提供する使用者あるいは移動手段を利用する便乗利用者として登録されたユーザがサービス提供サーバ２を利用する際のユーザ認証処理の概略について示したフローチャートである。
【００６９】
ユーザは、まず、ユーザ端末３およびネットワーク４を介してＷｅｂサーバ２ａにアクセスし、Ｗｅｂサーバ２ａに認証用の入力フォームの送信を要求する（ステップＤ１）。
【００７０】
これに応答して、Ｗｅｂサーバ２ａはユーザＩＤおよびパスワードを入力するための認証フォームを対応するユーザ端末３へ送信する（ステップＤ２）。
【００７１】
ユーザ端末３は、Ｗｅｂサーバ２ａから送信された認証用のフォームをモニタに表示した後（ステップＤ３）、識別情報としてのユーザＩＤおよびパスワードがユーザによって入力されるのを待機し、ユーザによってユーザＩＤおよびパスワードが入力されると（ステップＤ４）、ユーザＩＤおよびパスワードをＷｅｂサーバ２ａへ送信する（ステップＤ５）。
【００７２】
Ｗｅｂサーバ２ａはユーザ端末３から送信されたユーザＩＤおよびパスワードを受信し、会員管理サーバ２ｂへ送信する（ステップＤ６）。
【００７３】
会員管理サーバ２ｂは識別情報としてのユーザＩＤおよびパスワードを受信し（ステップＤ７）、会員管理サーバ２ｂに登録されている正規の会員登録情報を検索し、今回の処理で受信されたユーザＩＤおよびパスワードの組が正規の会員登録情報のユーザＩＤおよびパスワードとして登録されてるか否かを判定し（ステップＤ８）、登録されている場合に限って認証結果をＷｅｂサーバ２ａに送信し、未登録であれば、エラーメッセージをＷｅｂサーバ２ａに送信する（ステップＤ９）。
【００７４】
当該ユーザが移動手段を提供する使用者として登録されている場合には、この認証は移動手段使用プランの登録および検索を許容する認証となり、また、当該ユーザが移動手段を利用する便乗利用者としてのみ登録されている場合には移動手段使用プランの検索のみを許容する認証となる。
【００７５】
Ｗｅｂサーバ２ａは、会員登録サーバ２ｂから認証結果もしくはエラーメッセージを受信し、対応するユーザ端末３に送信する（ステップD１０）。
【００７６】
そして、ユーザ端末３は、受信した認証結果もしくはエラーメッセージをモニタに表示する（ステップD１１）。
【００７７】
図６は、移動手段を提供する使用者として登録されたユーザがサービス提供サーバ２に移動手段使用プランを登録する際の処理の概略について示したフローチャートであり、図５に示したユーザ認証処理において移動手段使用プランの登録および検索を許容する認証が得られた場合にのみ起動される。
【００７８】
サービス提供サーバ２に移動手段使用プランを登録する場合、移動手段を提供する使用者として登録されたユーザは、まず、ユーザ端末３およびネットワーク４を介してＷｅｂサーバ２ａにアクセスし、Ｗｅｂサーバ２ａに移動手段使用プラン登録用の入力フォームの送信を要求する（ステップＥ１）。
【００７９】
これに応答して、Ｗｅｂサーバ２ａは移動手段使用プラン登録用の入力フォームを対応するユーザ端末３へ送信する（ステップＥ２）。
【００８０】
ユーザ端末３は、Ｗｅｂサーバ２ａから送信された入力フォームをモニタに表示した後（ステップＥ３）、使用者であるユーザが移動手段の使用日時や移動工程等を入力するのを待機し、ユーザによって移動手段の使用日時や移動工程等が入力されると（ステップＥ４）、これらのデータを移動手段使用プランとしてＷｅｂサーバ２ａへ送信する（ステップＥ５）。移動工程のデータには出発地点と目的地点および其の間の主な経由地点と経由地点の通過時刻等が含まれる。
【００８１】
Ｗｅｂサーバ２ａはユーザ端末３から送信された移動手段使用プランを受信し（ステップＥ６）、移動手段の使用日時や移動工程等の整合性をチェックし（ステップＥ７）、異常がなければ、これらの使用日時や移動工程等を移動手段使用プランとして当該ユーザの識別情報つまりユーザＩＤに対応させてＷｅｂサーバ２ａに登録し（ステップＥ８）、対応するユーザ端末３に登録結果を送信する（ステップＥ９）。また、整合性に問題があれば、登録を非実行として、対応するユーザ端末３にエラーメッセージを送信する（ステップＥ９）。
【００８２】
なお、ここで行われる整合性のチェックは、例えば、出発地点や目的地点および経由地点等の誤記、あるいは、経由地点間の距離と制限速度との関係で求まる所要時間と経由地点通過時刻との不整合等といったもので、地名辞書ファイルの検索や単純な演算処理で実施可能な範囲のエラーチェックである。
【００８３】
ユーザ端末３はＷｅｂサーバ２ａから送信された登録結果もしくはエラーメッセージをモニタに表示する（ステップＥ１０）。
【００８４】
なお、エラーメッセージの際のリトライ処理は、ステップＥ３から開始すればよく、再度の認証は不要である。
【００８５】
図７は、移動手段を必要とする便乗利用者あるいは移動手段を提供する使用者として登録されたユーザがサービス提供サーバ２を利用して移動手段使用プランを検索する際の処理の概略について示したフローチャートであり、図５に示したユーザ認証処理において移動手段使用プランの検索のみを許容する認証もしくは移動手段使用プランの登録および検索を許容する認証が得られた場合に起動される。
【００８６】
サービス提供サーバ２に登録された移動手段使用プランを検索する場合、ユーザは、ユーザ端末３およびネットワーク４を介してＷｅｂサーバ２ａにアクセスし、Ｗｅｂサーバ２ａに移動手段便乗プラン登録用の入力フォームの送信を要求する（ステップＦ１）。
【００８７】
これに応答して、Ｗｅｂサーバ２ａは移動手段便乗プラン登録用の入力フォームをユーザ端末３へ送信する（ステップＦ２）。
【００８８】
ユーザ端末３は、Ｗｅｂサーバ２ａから送信された入力フォームをモニタに表示した後（ステップＦ３）、便乗利用者であるユーザによって移動手段の利用日時や移動工程等が入力されるのを待機し、ユーザによって移動手段の利用日時や移動工程等が入力されると（ステップＦ４）、これらのデータを移動手段便乗プランとしてＷｅｂサーバ２ａへ送信する（ステップＦ５）。移動工程のデータには出発地点と目的地点が含まれる。
【００８９】
Ｗｅｂサーバ２ａはユーザ端末３から送信された移動手段便乗プランを受信し（ステップＦ６）、この移動手段便乗プランに基いて、Ｗｅｂサーバ２ａに登録されている移動手段使用プランの中から、少なくとも、当該移動手段便乗プランに重複する使用日時と移動工程とを有する移動手段使用プランを検索する。最も望ましいのは、当該移動手段便乗プランの利用日時と使用日時が一致し、且つ、当該移動手段便乗プランの出発地点および目的地点と一致する出発地点および目的地点を有する移動手段使用プランであるが、このような移動手段使用プランが検索されない場合には、適合性の水準を順に落として、例えば、当該移動手段便乗プランの利用日時と使用日時が一致し、且つ、当該移動手段便乗プランの出発地点および目的地点を主な経由地点として含む移動手段使用プラン、更には、当該移動手段便乗プランの利用日時と使用日時が一致し、且つ、主な経由地点の近傍に当該移動手段便乗プランの出発地点および目的地点が位置する移動手段使用プラン等が検索されることになる（ステップＦ７）。最終的な妥協の限界は、当該移動手段便乗プランに重複する使用日時と移動工程とを有する移動手段使用プラン、つまり、道程の一部が重複する移動手段使用プランであり、この場合、便乗利用者は１つの移動手段使用プランに便乗しただけでは目的地点に到達することはできないので、複数の移動手段使用プランに便乗するといったことも考えねばならない。
【００９０】
このようにして、提示した移動手段便乗プランに重複する使用日時と移動工程とを有する移動手段使用プランが検索されると、Ｗｅｂサーバ２ａは、検索結果である移動手段使用プランの内容、つまり、移動手段の使用日時や出発地点と目的地点および其の間の主な経由地点と経由地点の通過時刻等を対応するユーザ端末３に送信する（ステップＦ８）。送信する移動手段使用プランの数は複数であっても構わない。
【００９１】
ユーザ端末３は受信した検索結果をモニタに表示し（ステップＦ９）、表示された移動手段使用プランの中から交渉を行う価値があると思われる移動手段使用プランがユーザによって選択されるのを待機し、移動手段使用プランが選択されると（ステップＦ１０）、ウェブサーバ２ａに対してコンタクト依頼を送信する（ステップＦ１１）。コンタクト依頼として利用する信号に格別の制限はないが、選択された移動手段使用プランの内容をウェブサーバ２ａに送り返すのが最も簡単である。
【００９２】
ウェブサーバ２ａはコンタクト依頼を受信し、例えば、送り返された移動手段使用プランの内容に基いてコンタクト依頼の対象となっている移動手段使用プランを特定し、この移動手段使用プランを登録したユーザのユーザＩＤを求め（ステップＥ８の処理により移動手段使用プランはユーザＩＤに対応してウェブサーバ２ａに登録されている）、このユーザＩＤを有するユーザのユーザ端末３に情報提供依頼を送信する（ステップＦ１２）。
【００９３】
選択された移動手段使用プランを登録した使用者のユーザ端末３は、この情報提供依頼を受信してモニタに表示した後（ステップＦ１３）、使用者であるユーザから情報提供の許諾もしくは拒絶の応答があるまで待機し（ステップＦ１４）、許諾もしくは拒絶の結果をＷｅｂサーバ２ａに送信する（ステップＦ１５）。
【００９４】
Ｗｅｂサーバ２ａは許諾もしくは拒絶の結果を受信し、この移動手段使用プランを選択した便乗利用者のユーザ端末３へ其の結果を送信する。この際、選択された移動手段使用プランを登録した使用者が情報提供を許諾していれば、Ｗｅｂサーバ２ａは、この使用者のユーザＩＤに基いて会員管理サーバ２ｂの会員登録情報を検索し、当該移動手段使用プランを登録した使用者の連絡先情報、例えば、住所・氏名あるいは電子メールアドレスや電話番号等を抽出し、この連絡先情報を許諾の結果と併せて便乗利用者のユーザ端末３へ送信する。また、使用者が情報提供を拒絶した場合には、連絡先情報は送信せず、拒絶の結果のみを便乗利用者のユーザ端末３へ送信する（ステップＦ１６）。
【００９５】
便乗利用者のユーザ端末３は、この便乗利用者が選択した移動手段使用プランを登録した使用者の連絡先情報もしくは拒絶の通知をモニタに表示する（ステップＦ１７）。
【００９６】
ユーザ端末３に使用者の連絡先情報が表示された場合、便乗利用者であるユーザは、この連絡先情報を参照し、電子メールや携帯電話もしくは固定電話による通話等を利用して車両を提供する使用者に直に連絡を取り、両者間での交渉を行って、移動手段使用プランの修正、例えば、出発地点や目的地点もしくは経由地点の変更あるいは出発時刻や経由地点の通過時刻の変更を行ったり、あるいは、当該移動手段使用プランへの便乗のキャンセルといった処理を行う（ステップＦ１８，ステップＦ１９）。
【００９７】
そして、交渉が成立した場合には、この移動手段使用プランを登録した使用者が、ユーザ端末３およびネットワーク４を介してＷｅｂサーバ２ａにアクセスし、この移動手段使用プランの修正結果等を送信する（ステップＦ２０）。
【００９８】
Ｗｅｂサーバ２ａは修正結果を受信し、この修正結果に基づいて該Ｗｅｂサーバ２ａに登録されている当該使用者の移動手段使用プランをモデファイし（ステップＦ２１）、この修正結果を当該使用者のユーザ端末３に送信して（ステップＦ２２）、ユーザ端末３のモニタに表示し、使用者であるユーザに変更箇所を確認させる（ステップＦ２３）。
【００９９】
なお、Ｗｅｂサーバ２ａで開示される移動手段使用プランに便乗利用者の募集人員が含まれている場合には、交渉の成立が確認された時点で募集人員の値が１ディクリメントされる（ステップＦ２１）。また、交渉が決裂した場合には、修正結果に代えて交渉決裂の信号が出力され（ステップＦ２０）、最初に登録された移動手段使用プランが其のまま維持されることになる（ステップＦ２１）。
【０１００】
以上に述べた通り、この実施形態では、便乗利用者であるユーザによって移動手段使用プランが選択され、この移動手段使用プランを登録した使用者が特定された時点でＷｅｂサーバ２ａから当該使用者のユーザ端末３に情報提供依頼が送信され（ステップＦ１２）、このユーザ端末３から情報提供を許容する応答が得られた場合に限り、この使用者に対応する連絡先情報をＷｅｂサーバ２ａからネットワーク４を介して便乗利用者のユーザ端末３に送信するようにしているので、移動手段を提供する使用者は本人の都合等により比較的に容易に同乗の依頼をキャンセルすることができる。従って、移動手段の使用者が便乗利用者を必要以上に選り好みするといった弊害が生じる可能性もあるが、その一方で、移動手段を提供する使用者が移動手段使用プランを頻繁にＷｅｂサーバ２ａに登録する動機ともなるので、全体としてみれば、移動手段の有効利用に結びつくものと考えられる。
【０１０１】
しかも、便乗利用者と使用者との間で交渉を行って移動手段使用プランが修正された場合には、この修正結果が使用者のユーザ端末３およびネットワーク４を介してＷｅｂサーバ２ａに更新して登録されるので、当初の利用日時や移動工程が折り合わなかった別の便乗利用者が、この移動手段使用プランを利用して同乗できるといった可能性も生じ、移動手段の有効利用、更には、交通渋滞の緩和，ＣＯ２排出量の削減，１人当たりの交通費削減へと繋がる。
【０１０２】
次に、本発明の他の実施形態について図面を参照して簡単に説明する。
【０１０３】
図８は、図１で示した移動手段提供システム１に、レンタカー会社のレンタカー予約システムや旅行会社のパッケージツアー・カスタマイズツアー情報提供予約システムと連携する機能を追加することを表している。
【０１０４】
車両を所有してはいるが、搭乗人員や荷物積載量、もしくは、キャリアの有無，冬用タイヤの装着の有無，ＦＦ／ＦＲ／４ＷＤ等の駆動方式の相違等の車両自体の特性上の影響で、レンタカーを借りたいという需要が発生したときの場合を想定し、レンタカー会社と提携することで、既にＷｅｂサーバ２ａに登録されている移動手段使用プランあるいはＷｅｂサーバ２ａに問い合わせのあった移動手段便乗プラン等の情報を基に、レンタカーの検索や予約をスムーズに行うようにすることが可能である。
【０１０５】
また、使用者が想定しているよりも大規模な便乗利用者が集まった場合、また、これとは逆に希望する移動行程のメンバーが見つからなかった場合を想定し、旅行会社と提携することで、既にＷｅｂサーバ２ａに登録されている移動手段使用プランあるいはＷｅｂサーバ２ａに問い合わせのあった移動手段便乗プラン等の情報を基に、パッケージツアーの企画や貸切バスの紹介、あるいは、その申し込み手続き等を容易に行うようにすることが可能である。
【図面の簡単な説明】
【０１０６】
【図１】本発明の移動手段提供方法を実施するために必要とされる移動手段提供システムの一例について示した機能ブロック図である。
【図２】ユーザに対して識別情報を発行する際の身分確認のための前処理の概略について示したフローチャートである。
【図３】移動手段を提供する使用者としての登録を希望するユーザに対して識別情報を発行する際の身分確認のための処理の概略について示したフローチャートである。
【図４】移動手段を利用する便乗利用者としての登録を希望するユーザに対して識別情報を発行する際の身分確認のための処理の概略について示したフローチャートである。
【図５】移動手段を提供する使用者あるいは移動手段を利用する便乗利用者として登録されたユーザがサービス提供サーバを利用する際のユーザ認証処理の概略について示したフローチャートである。
【図６】移動手段を提供する使用者として登録されたユーザがサービス提供サーバに移動手段使用プランを登録する際の処理の概略について示したフローチャートである。
【図７】移動手段を必要とする便乗利用者あるいは移動手段を提供する使用者として登録されたユーザがサービス提供サーバを利用して移動手段使用プランを検索する際の処理の概略について示したフローチャートである。
【図８】移動手段提供システムにレンタカー会社のレンタカー予約システムや旅行会社のパッケージツアー・カスタマイズツアー情報提供予約システムを連携させた場合の機能ブロック図である。
【符号の説明】
【０１０７】
１  移動手段提供システム
２  サービス提供サーバ
２ａ  Ｗｅｂサーバ
２ｂ  会員管理サーバ
３  ユーザ端末
３ａ  パーソナルコンピュータ
３ｂ  携帯電話
４  ネットワーク
５  ファクシミリ装置
６  通信回線
７  レンタカー予約システム
８  パッケージツアー・カスタマイズツアー情報提供予約システム
【図１】
2006011813.tif 000003
【図２】
2006011813.tif 000004
【図３】
2006011813.tif 000005
【図４】
2006011813.tif 000006
【図５】
2006011813.tif 000007
【図６】
2006011813.tif 000008
【図７】
2006011813.tif 000009
【図８】
2006011813.tif 000010